(57)【要約】【課題】浴室排水等の改修では、排水トラップの防水皿の外側を切り取り改修するのでは、下記の様な課題があった。１、切り取る口径が大きくなり大形の穿孔機又はハツリと言う作業により取り外す必要があった。２、防水層を切り取るので防水層の補修をする必要があった。３、排水金物外側を切り取るので基本的に作業工程として多くの工程で作業をする必要があった。４、同上理由により作業時間が長くなる課題があった。５、同上理由によりセメント等を使うので養生期間を設け待機しながら作業を進める必要があった。【解決手段】既存の排水トラップ金物の底の部分を穿孔し、その中に貫通管を通し、穿孔された孔と貫通管の隙間に防水用の充填材を注入する手段による。【選択図】    図１
2004316422.tif 000002
【特許請求の範囲】
【請求項１】
既存建物の改修で、床抜きの式椀型防水型排水トラップ金物が付いている条件で、該排水金物の場所に排水金物の胴体よりやや小さめの孔を該金物の底の部分よりスラブを貫通するまでの間を穿孔し、設けられた孔の内部には孔に適合する貫通管を床面付近よりスラブ下まで通し、貫通管と孔との間に防水材を充填する、以上の様に施工される事を特徴とする排水の改修方法。
【請求項２】
貫通管の上端には管に挿入される排水目皿付きの排水トラップを取り付け、目皿の天端は床の面に合わせた事を特徴とする、請求項１に記載の排水の改修方法。
【請求項３】
貫通管の上端部に目皿を取り付け、貫通管の下端部はスラブより下の部分にＰ型トラップを取り付ける事を特徴とする、請求項１に記載の排水の改修方法。
【請求項４】
穿孔する手段を回転式ドリルによる穿孔することを特徴とする請求項１に記載の排水の改修方法。
【請求項５】
穿孔する手段を高圧水噴射切断方式による穿孔することを特徴とする請求項１に記載の排水の改修方法。
【請求項６】
穿孔された孔（Ａ）に内設される管で、床の表面付近よりスラブの下から所定の寸法が出るまでに配置される貫通管（１）と、該管の上端部に床面を合わせて管内に設置される挿入式トラップと、貫通管（１）と穿孔された孔（Ａ）及び既存排水トラップの胴の部分（１０ａ）及び既存排水トラップの高さ調節部材（１０ｃ）の隙間を防水用充填材（３）を充填する以上の様に構成される事を特徴とする請求項１に記載の排水の改修システム。
【請求項７】
貫通管（１）を支持する継手（４）と該継手を支持する取り付けフランジ（５）と、フランジを支持するボルト（８）とスラブに埋め込まれるインサート（９）から構成される事を特徴とする請求項６に記載の排水の改修システム。
【請求項８】
継手（４）の端部にフランジ（５）を取り付け、継手の外周とフランジの外周の間に取付け用の孔を３〜４ヶ所程度、円周方向均等に穴を設け、フランジの内面にはパッキン（５）を取り付けた事を特徴とする請求項１から請求項３の何れかに記載の排水の改修用部品。
【請求項９】
継手の露出部分とフランジの露出部分を覆う耐火被覆を取り付け、該耐火被服材は管継手の形状で左右対称となる部位で半割となる形状とする、事を特徴とする請求項７に記載の排水の改修システム。
【発明の詳細な説明】
【技術分野】
【０００１】  本発明は既存建物で浴室排水の改修やその他排水器具での改修で、床抜きの式椀型防水型排水トラップ金物が付いている排水の改修に関する。
【背景技術】
【０００２】  浴室排水の改修で従来は図７から図１１迄の一連での作業を示す様に、排水トラップの防水皿を含めて取り外し、更に新規の同形の排水トラップを取り付けるのが通例であった。
【特許文献１】特開２００４−０３６１１４号公開公報
【発明の開示】
【発明が解決しようとする課題】
【０００３】しかしながら、排水トラップの防水皿の外側を切り取り改修するのでは、下記の様な課題があった。
１、切り取る口径が大きくなり大形の穿孔機又はハツリと言う作業により取り外す必要があった。
２、防水層を切り取るので防水層の補修をする必要があった。
３、排水金物外側を切り取るので基本的に作業工程として多くの工程で作業をする必要があった。
４、同上理由によりそれぞれの作業が専門性を有する作業員で作業をする必要があった。
５、同上理由により作業時間が長くなる課題があった。
６、同上理由によりセメント等を使うので養生期間を設け待機しながら作業を進める必要があった。
７、３〜６の理由により入居している人は浴室を使えない期間が長くなる、という課題があった。
【課題を解決するための手段】
【０００４】  以上の問題を解決するために、既存の排水トラップ金物の底の部分を穿孔し、その中に貫通管を通し、穿孔された孔と貫通管の隙間に防水用の充填材を注入する手段により解決する。
【発明の効果】
【０００５】  既存の排水トラップ金物の底の部分を穿孔し、その中に貫通管を通し、穿孔された孔と貫通管の隙間に防水用の充填材を注入する手段によるので下記の様な効果がある。
（課題の番号と連動して記載する）
１、切り取る口径が大きくなり大形の穿孔機又はハツリと言う作業により取り外す必要があった。⇒▲黒四角▼排水トラップの内側を穿孔するので穿孔する口径が小さく出来る効果と穿孔する厚さ（深さ）が小さくなる効果がある。▲黒四角▼従って使用する穿孔の機械も小型のものでよくなる効果がある。▲黒四角▼更に穿孔するのに使うエネルギーも少なくなる効果がある。▲黒四角▼図８と図４を比較されれば理解される。
２、防水層を切り取るので防水層の補修をする必要があった。⇒▲黒四角▼排水トラップの内側を穿孔するので、防水層を痛めず改修をすることが出来る。▲黒四角▼本発明ではこの項目が最大の特徴であり最大の効果である。実際浴室の防水性能を確保出来ることは重要な事柄である。
３、排水金物外側を切り取るので基本的に作業工程として多くの工程で作業をする必要があった。⇒▲黒四角▼作業の工程が簡素化出来ると言う効果がある。
４、それぞれの作業が専門性を有する作業員で作業をする必要があった。⇒▲黒四角▼排水トラップの内側を穿孔するので、配管の専門工だけで作業が出来ると言う効果がある。
５、同上理由により作業時間が長くなる課題があった。⇒▲黒四角▼簡便な装置により作業時間が短縮出来るという効果がある。▲黒四角▼当然施工労務費が小さくなると言う効果がある。
６、同上理由によりセメント等を使うので養生期間を設け待機しながら作業を進める必要があった。⇒▲黒四角▼セメントを使わないので養生期間を短縮出来る効果がある。
７、３〜６の理由により入居している人は浴室を使えない期間が長くなる、という課題があった⇒▲黒四角▼居住者の使用不能の期間を大幅に短縮出来るという効果がある。当然実際に使う人からの信頼を勝ち得るものである事は言うまでも無い。
【発明を実施するための最良の形態】
【０００６】この発明の実施形態を作業順に沿って図と共に説明する。
第１工程（取り外し工程）浴室に設けられている排水用トラップ金物の目皿（１０ｄ）と椀（１０ｅ）を外す。（図１２参照）
第２工程（穿孔工程）排水金物の底の部分（１０ｇ）からスラブ貫通するまでを穿孔機により穿孔する。（図４参照）。穿孔機は通常ダイヤモンドドリルの歯を装備したものである。但し施工する数が多い場合はジェットと呼ばれる高圧水噴射式カッターで穿孔するのが良い。切り取られた形状は図５の様になる。
以降図１を使って説明する
第３工程（アンカー設置工程）取付け用のインサート（９）（ドリルアンカー）を所定に位置に取り付ける。
第４工程（継手類取り付け工程）パッキン（８）、取り付けフランジ（６）と補強フランジ（７）継手（４）が一体になったものをボルト（８）で取り付ける。
第５工程（貫通管取り付け工程）貫通管（１）を所定の長さにセットしておき継手（４）に差し込む。
第６工程（防水材充填工程）貫通管（１）と穿孔された孔（Ａ）及び既存排水トラップの胴の部分（１０ａ）及び既存排水トラップの高さ調節部材（１０ｃ）の隙間を防水用充填材（３）で充填する。
第７工程（トラップ取り付け工程）挿入式トラップを管の上端に挿入する。【０００７】『実施形態の効果』
この発明の方法やシステムを使って施工すれば施工方法が簡便になるので工期が短くより簡便に施工する事が出来る。従って防水皿の外側から切り取る従来の方式と比較すれば小型の穿孔機で作業する事が出来、仕事も速く且つ作業時間も短くなり、廃棄物も少なく、労務費も少なく、使用する材料も少なく、発生する騒音も少なくなる効果がある。入居者の使用不能時間が小さくなる事は特筆される。当然の事ではあるが従来のやり方では表面層のタイル等の補修工事は発生する訳ではあるが、その補修の痕が残り（改修前の同じ材料を使っても色は合いは残る）ので本発明の方法で施工すれば問題が解消される。【０００８】『他の実施形態１』
挿入式の排水トラップの他にＰ型トラップがあるのでその分を説明すると、貫通管の上端部に目皿（２０）を取り付け、管の下端部はスラブより下の部分にＰ型トラップ（２１）を取り付ける方法も出来る。（図３参照）【０００９】『実施形態１の効果』
貫通管の位置の設定の難しさはあるが配管でセット出来るとするならば可能となる、充填材の流動性も丁度良い性能のものを使い止水が可能なものを使う必要はある。【００１０】『他の実施形態２』
システム部材を樹脂製（ボルトを除く）とした場合には建築基準法及び消防法、等の耐火処理を義務つけられる場合があるので耐火処理材をシステム部材とした、内容は継手の露出部分とフランジの露出部分を覆う耐火被覆（１８）を取り付け、該耐火被服材は管継手の形状で左右対称となる部位で半割となる形状として両端付近を不燃性のある材質のバンド（１９）で取り付けるものである。【００１１】『実施形態２の効果』
システム部材を樹脂製とした場合の建築基準法及び消防法、等の耐火性能を満足するシステム部材として法令に適合する事が出来る。【００１３】『他の実施形態３』
継手（４）の端部にフランジ（５）を取り付け、継手の外周とフランジの外周の間に取付け用の孔を３〜４ヶ所程度、円周方向均等に穴を設け、フランジの内面にはパッキン（５）を取り付け構造とし、工事の簡素化とスピード化を図る。【００１４】『実施形態３の効果』
この部材は穿孔された穴と挿入される貫通管の隙間の間隔を均等にしておいて、注入する時の充填材を均等に行き渡らせる為の重要な部品である。仮に間隔が不揃いになった場合には充填材の薄くなった所や隙間が小さくて充填材が廻らなかった場合には、その場所から漏水が起きる可能性があるので本発明を実施する上での重要な部材である。改修用の部品として先行して作ってあるので工事の進行を早くする事が出来る効果がある。排水金物に人が乗った場合等の荷重が集中した時に排水目皿及び貫通管全体が下がる可能性があるので、この事を配慮してもある。充填材に強度を持たす事も出来るが防水性能を維持するには軟質系の充填材で弾力性があるほうが止水性能としては勝るのでこの様な部材が本発明においては重要な効果として挙げられる。又、施工の観点から言えばこのフランジが充填材を注入する時の仮枠代りをする事も重要な効果である。
【図面の簡単な説明】
【００１５】
【図１】本発明の断面図である。
【図２】本発明の改修する部位の平面図である。
【図３】本発明の断面図である。
【図４】本発明の穿孔部分を示す断面斜視図である。
【図５】本発明の穿孔後を示す断面斜視図である
【図６】本発明の断面図である。
【図７】従来の床排水トラップが取り付いている断面図である。
【図８】従来の施工方法の穿孔する部分を示す断面図である。
【図９】従来の施工方法の穿孔後切り取り部分を示す断面図である。
【図１０】従来の施工方法の切り取られ新しくする前の状態を示す断面図である。
【図１１】従来の施工方法の工程を示す断面図である。
【図１２】在来品の部位名称示す断面図である。（防水皿付の床排水トラップ金物を含む）
【符号の説明】
【００１６】１貫通管
２挿入式トラップ
３充填材
４継手
５パッキン
６取り付けフランジ
６１フランジの穴
７補強フランジ
８取り付けボルト
９インサート
１０防水皿付床排水トラップ
１０ａ同上胴部
１０ｂ同上防水皿
１０ｃ同上高さ調整部材
１０ｄ同上目皿
１０ｅ同上椀
１０ｆ同上立ち上げ部
１０ｇ同上底
１１排水管
１２スラブ（床のコンクリート）
１３均しモルタル（防水用下地）
１４防水層
１５防水層保護モルタル
１６床仕上げ材（タイル）
１７排水管
１８耐火被覆材
１９取り付けバンド
Ａ穿孔工程（穿孔場所）
Ｂはつり工程（はつり場所）
Ｃトラップ取り付け工程
Ｄコンクリート打設工程（コンクリ−ト打設部）
Ｅ均しモルタル施工工程
Ｆ防水施工工程
Ｇ防水層保護モルタル打設工程
Ｈ床面仕上げ工程（タイル貼り）
【図１】
2004316422.tif 000003
【図２】
2004316422.tif 000004
【図３】
2004316422.tif 000005
【図４】
2004316422.tif 000006
【図５】
2004316422.tif 000007
【図６】
2004316422.tif 000008
【図７】
2004316422.tif 000009
【図８】
2004316422.tif 000010
【図９】
2004316422.tif 000011
【図１０】
2004316422.tif 000012
【図１１】
2004316422.tif 000013
【図１２】
2004316422.tif 000014